(57)【要約】【課題】  着衣の付着臭を脱臭するに際して、使い勝手のよい脱臭装置を提供する。【解決手段】  ノズル装置１２に、空気流ｆａを吹き出す空気吹出口と、その空気吹出口１３内に配置されてオゾン風ｆｏを吹き出すオゾン吹出口１９とが備えられ、オゾン吹出口１９が、空気吹出口１３から吹き出される空気流ｆａ領域内において該空気流ｆａの吹出し方向と同じ方向に向けてオゾン風ｆｏを吹き出すように設定されている。これにより、空気吹出口１３からの空気流ｆａを、オゾン風ｆｏの周囲を囲んだ状態で流し、空気流ｆａの高い指向性（動圧）に基づき、ノズル装置１２から比較的遠い距離までオゾン風ｆｏを空気流ｆａの流れ方向に案内しつつ、オゾンが空気流ｆａの外周囲に拡散することを抑制する。この結果、オゾン風ｆｏが着衣に到達するまでの間にオゾンの濃度が低下することを極力抑制し、オゾンとして、初期から使用濃度が低いもの（人体に影響を与えないもの）を用いて、効果的に脱臭を行う。【選択図】        図４
2009270227.tif 000002
【特許請求の範囲】
【請求項１】
オゾン風を用いて着衣の脱臭を行う脱臭装置であって、
手で把持して使用するノズル装置が備えられ、
前記ノズル装置が、オゾン風と共に空気流をも吹き出すように設定されている、
ことを特徴とする脱臭装置。
【請求項２】
請求項１において、
前記ノズル装置に、空気流を吹き出す空気吹出口と、該空気吹出口内に配置されてオゾン風を吹き出すオゾン吹出口とが備えられ、
前記オゾン吹出口が、前記空気吹出口から吹き出される空気流領域内において該空気流の吹出し方向と同じ方向に向けてオゾン風を吹き出すように設定されている、
ことを特徴とする脱臭装置。
【請求項３】
請求項２において、
前記空気吹出口に空気供給用接続ホースを介して空気供給源が接続され、
前記オゾン吹出口にオゾン供給用接続ホースを介してオゾン発生源が接続され、
前記空気供給用接続ホース及び前記オゾン供給用接続ホースが伸縮調整可能とされている、
ことを特徴とする脱臭装置。
【請求項４】
請求項３において、
前記オゾン供給用接続ホースが前記空気供給用接続ホース内に配設されて、内外二重管構造とされている、
ことを特徴とする脱臭装置。
【請求項５】
請求項４において、
壁面に収納ケースが取付けられ、
前記収納ケース内に前記空気供給源及び前記オゾン発生源が収納され、
前記収納ケースに、前記ノズル装置を着脱可能に保持するための保持部と、作動スイッチとが設けられ、
前記作動スイッチは、前記保持部に前記ノズル装置が保持されたときにはＯＦＦとなって前記空気供給源からの空気流及び前記オゾン発生源からのオゾン風の供給を停止し、前記保持部から前記ノズル装置が外されたときにはＯＮとなって前記空気供給源及び前記オゾン発生源から空気流及びオゾン風を供給するように設定されている、
ことを特徴とする脱臭装置。
【請求項６】
請求項４において、
前記空気供給源及び前記オゾン発生源が収納ケース内に収納された状態で台車上に搭載され、
前記収納ケースに、前記ノズル装置を着脱可能に保持するための保持部と、作動スイッチとが設けられ、
前記作動スイッチが、前記保持部に前記ノズル装置が保持されたときにはＯＦＦとなって前記空気供給源からの空気流及び前記オゾン発生源からのオゾン風の供給を停止し、前記保持部から前記ノズル装置が外されたときにはＯＮとなって前記空気供給源及び前記オゾン発生源から空気流及びオゾン風を供給するように設定されている、
ことを特徴とする脱臭装置。
【請求項７】
請求項５又は６において、
前記作動スイッチのＯＮを条件として作動を開始するタイマ手段が備えられ、
前記タイマ手段は、作動開始から所定時間を経過したときに、前記空気供給源からの空気流及び前記オゾン発生源からのオゾン風の供給を停止させる停止信号を出力するように設定されている、
ことを特徴とする脱臭装置。
【発明の詳細な説明】
【技術分野】
【０００１】
本発明は、着衣等の付着臭を効果的に脱臭できる脱臭装置に関する。
【背景技術】
【０００２】
各種の臭気を脱臭する脱臭装置としては、特許文献1に示すように、オゾン風を発生するオゾン発生器を備え、そのオゾン発生器が発生するオゾン風をトイレ、タンス等の臭気発生源に向けて流すものが提案されている。このものによれば、臭気発生源に対してオゾンの強力な酸化作用を作用させることができることになり、臭気発生源に対する脱臭を効果的に行うことができる。
【０００３】
ところで、人体の局部的な付着臭、例えば、着衣、人体（毛髪等）等に付着したタバコ臭、宴会後の焼肉、鉄板焼き臭等の臭気を迅速且つ安全に脱臭したい場合がある。このような場合にも、前記特許文献１に係る脱臭装置を用いれば、オゾン風によりその付着臭を脱臭することは可能である。
【特許文献１】特開平１０−１１３３８１号公報
【発明の開示】
【発明が解決しようとする課題】
【０００４】
しかし、上記特許文献１に係る脱臭装置においては、オゾン風は、高電圧発生回路から電極部（一対の電極により構成）に高電圧を印加することにより発生させるものであり、そのオゾン風の速度は小さく、その指向性は低い。このため、上記脱臭装置を用いて、思った個所の付着臭を脱臭するためには、脱臭装置を付着臭の発生源（臭気発生源）に極めて近い距離に近づけた上で比較的長い時間に亘って脱臭を行わなければならず、使い勝手が悪い。
【０００５】
本発明は、このような事情に鑑みてなされたもので、その技術的課題は、着衣の付着臭を脱臭するに際して、使い勝手のよい脱臭装置を提供することにある。
【課題を解決するための手段】
【０００６】
前記技術的課題を達成するために本発明（請求項１に係る発明）にあっては、
オゾン風を用いて着衣の脱臭を行う脱臭装置であって、
手で把持して使用するノズル装置が備えられ、
前記ノズル装置が、オゾン風と共に空気流をも吹き出すように設定されている構成としてある。この請求項１の好ましい態様としては、請求項２以下の記載の通りとなる。
【発明の効果】
【０００７】
請求項１に係る発明によれば、ノズル装置が、オゾン風と共に空気流をも吹き出すように設定されていることから、空気流は、その高い指向性（動圧）に基づき、ノズル装置から比較的遠い距離までオゾン風を空気流の流れ方向に案内できる。しかも、その空気流及びオゾン風がノズル装置から吹き出され、そのノズル装置を使用者が把持して使用するものであることから、使用者は、空気流の流れ（動圧）を考慮して（空気流の流れの当たり方を感じて）、そのノズル装置からのオゾン風の吹出方向を思いの方向に手軽に変えることができる。このため、着衣の付着臭を脱臭するに際して、脱臭装置（本体）が、多少、離れて配置されていると否とかかわらず、オゾン風を、的確にオゾン風を当てるべき思った個所に当てることができ、短時間で付着臭の脱臭を行うことができる。これにより、着衣の付着臭を脱臭するに際して、オゾン風を当てるべき個所に脱臭装置をできるだけ近づけることが不要になると共に、オゾン風を当てるべき個所にオゾン風が的確に当たらないことに基づいて脱臭時間が増大することが防止できることになり、使い勝手を高めることができる。
またこの場合、連続流として、常にオゾンを着衣等に案内できる一方、付着臭の分解、脱臭に伴い生成された生成ガスを空気流により順次、排出できることになり、このことも、脱臭時間の短縮（使い勝手）に貢献することになる。
【０００８】
請求項２に係る発明によれば、ノズル装置に、空気流を吹き出す空気吹出口と、該空気吹出口内に配置されてオゾン風を吹き出すオゾン吹出口とが備えられ、オゾン吹出口が、空気吹出口から吹き出される空気流領域内において該空気流の吹出し方向と同じ方向に向けてオゾン風を吹き出すように設定されていることから、空気吹出口からの空気流は、オゾン風の周囲を囲んだ状態で流れることになり、空気流は、その高い指向性（動圧）に基づき、ノズル装置から比較的遠い距離までオゾン風を空気流の流れ方向に案内しつつ、オゾンが空気流の外周囲に拡散することを抑制することになる。このため、オゾン風が着衣に到達するまでの間にオゾンの濃度が低下することを極力抑制できることになり、オゾンとして、初期から使用濃度が低いもの（人体に影響を与えないもの）を用いて、効果的に脱臭を行うことができる。
【０００９】
請求項３に係る発明によれば、空気吹出口に空気供給用接続ホースを介して空気供給源が接続され、オゾン吹出口にオゾン供給用接続ホースを介してオゾン発生源が接続され、空気供給用接続ホース及びオゾン供給用接続ホースが伸縮調整可能とされていることから、付着臭の発生源（着衣）が当該脱臭装置から多少、離れていても、それに応じて空気供給用接続ホース及びオゾン供給用接続ホースを伸ばして、ノズル装置を付着臭の発生源に近づけることができると共に、オゾン発生源及び空気供給源からその各吹出口まで、オゾン風と空気流とを個々独立して供給して、オゾンの分解を防止できる。このため、付着臭の発生源が当該脱臭装置（本体）から多少、離れていても、付着臭の発生源が当該脱臭装置が近い位置に存在する場合と略同じ脱臭効果を得ることができる。勿論この場合、空気供給用接続ホース及びオゾン供給用接続ホースが伸縮調整可能とされていることから、ノズル装置の取り扱い性も高めることができる。
【００１０】
請求項４に係る発明によれば、オゾン供給用接続ホースが空気供給用接続ホース内に配設されて、内外二重管構造とされていることから、空気供給用接続ホース及びオゾン供給用接続ホースを外見上、１本にまとめて配管構造の簡素化を図ることができると共に、ノズル装置の取り扱い性を、一層高めることができる。
【００１１】
請求項５に係る発明によれば、壁面に収納ケースが取付けられ、収納ケース内に空気供給源及びオゾン発生源が収納され、収納ケースに、ノズル装置を着脱可能に保持するための保持部と、作動スイッチとが設けられ、作動スイッチは、保持部にノズル装置が保持されたときにはＯＦＦとなって空気供給源からの空気流及びオゾン発生源からのオゾン風の供給を停止し、保持部からノズル装置が外されたときにはＯＮとなって空気供給源及びオゾン発生源から空気流及びオゾン風を供給するように設定されていることから、使用者は、スイッチ操作を意識することなく付着臭の脱臭を行うことができ、使い勝手を高めることができる。
【００１２】
請求項６に係る発明によれば、空気供給源及びオゾン発生源が収納ケース内に収納された状態で台車上に搭載され、収納ケースに、ノズル装置を着脱可能に保持するための保持部と、作動スイッチとが設けられ、作動スイッチが、保持部にノズル装置が保持されたときにはＯＦＦとなって空気供給源からの空気流及びオゾン発生源からのオゾン風の供給を停止し、保持部からノズル装置が外されたときにはＯＮとなって空気供給源及びオゾン発生源から空気流及びオゾン風を供給するように設定されていることから、使用者は、スイッチ操作を意識することなく付着臭の脱臭を行うことでき、さらには、付着臭の発生源から当該脱臭装置が離れていても、台車の移動によりその付着臭の発生源に近づけることができ、使い勝手を高めることができる。
【００１３】
請求項７に係る発明によれば、作動スイッチのＯＮを条件として作動を開始するタイマ手段が備えられ、
前記タイマ手段は、作動開始から所定時間を経過したときに、前記空気供給源からの空気流及び前記オゾン発生源からのオゾン風の供給を停止させる停止信号を出力するように設定されていることから、オゾンが過度に人体に供給されることを防止できる。
【発明を実施するための最良の形態】
【００１４】
以下、本発明の実施の形態について図面を参照して詳細に説明する。
図１〜図４において、符号１は第１実施形態に係る脱臭装置である。この脱臭装置１は、壁面Ｗに横方向に延びるベース板２と、そのベース板２の表面側に並列的に取付けられる第１，第２カバーケース３，４とを、備えており、これらにより、収納ケース５が構成されている。ベース板２には、第１カバーケース３が覆う領域においてファン装置６が取付けられ、第２カバーケース４が覆う領域においてオゾン発生装置７が取付けられており、各装置６，７は、各カバーケース３，４によりそれぞれ覆われている。この場合、ベース板２は、使い勝手を考慮して、床面から所定高さ位置（例えば床面から１〜２ｍ）における壁面Ｗに固定されている。尚、図３中、３０は吸気口、図４中、３１は吸気フィルタ（活性炭フィルタ）を示す。
【００１５】
前記ファン装置６は、第１，第２カバーケース３，４を外した図４に示すように、ファン本体８と、そのファン本体８により作り出される空気流を吐出する吐出口９とを備えている。ファン本体８は、その作り出す風量（空気流量）を風量切換えスイッチ１０により強、中、弱に切換えられることになっており、吐出口９は、ファン本体８が作り出した空気流を下方に向けるべく、第１カバーケース３から下方に向けて突出されている。この吐出口９には、空気供給用接続ホース１１を介してノズル装置１２が接続されており、ファン装置６からノズル装置１２に向けて空気流を流すことができることになっている。空気供給用接続ホース１１は、可撓性、伸縮性を有しており、その伸縮性等に基づき、空気供給用接続ホース１１は、第１カバーケース３から所定距離の範囲で、引き延ばしたり、縮めたり、曲げたりすることができることになっている。ノズル装置１２は、使用者が手で把持して使用するハンドタイプとされており、その内部には、空気通路を形成すべく空洞（図示略）が形成されている。このノズル装置１２の先端部内面には、上記空洞に連通する空気吹出口１３が外部に開口されており、その空気吹出口１３から外部に向けてファン装置６に基づく空気流が吹き出されることになっている。尚、図４中、符号２９は風量切換え基板を示す。
【００１６】
前記オゾン発生装置７は、既知の如く、図４に示すように、オゾナイザー（一対の電極等により構成）１４と、そのオゾナイザー１４に高電圧を印加してオゾンを発生させるオゾナイザートランス１５とを備えており、そのオゾナイザー１４の入口側には、空気流を送り込むコンプレッサ１６がオゾン逆止弁１７を介して接続されている。このオゾナイザー１４の出口側には、オゾン供給用接続ホース１８が、その一端部をもって接続されており、そのオゾン供給用接続ホース１８の径は、前記空気供給用接続ホース１１の径よりも十分に小さくされている。このオゾン供給用接続ホース１８の他端側は、ファン装置６における吐出口９付近から空気供給用接続ホース１１内に入れられてノズル装置１２に向けて延ばされており、そのオゾン供給用接続ホース１８の他端開口は、オゾン吹出口１９として、ノズル装置１２の空気吹出口１３内の略中央に位置されて、外部に対して、空気吹出口１３と同方向に向けて開口されている。この場合、オゾン供給用接続ホース１８は、長さに関し余裕を持たせつつ空気供給用接続ホース１１内に入れられており、オゾン供給用接続ホース１８は、空気供給用接続ホース１１の伸長性等に対して的確に追従できることになっている。勿論、オゾン供給用接続ホース１８についても、空気供給用接続ホース１１同様、伸縮性等を有するものを用いてもよい。
【００１７】
これにより、オゾン供給用接続ホース１８と空気供給用接続ホース１１とは内外二重管構造を構成することになり、オゾン供給用接続ホース１８内にオゾン風が流れ、オゾン供給用接続ホース１８と空気供給用接続ホース１１との間の環状通路に空気流が流れることになる。そして、ノズル装置１２からの各流れの吹出しに際しては、図５に示すように、空気流ｆａが空気吹出口１３から外部に吹き出される一方、オゾン風ｆｏが、空気吹出口１３から吹き出される空気流ｆａ領域内においてその空気流ｆａの吹出し方向と同じ方向に吹き出されることになる。
【００１８】
前記ベース板２には、図１，図４に示すように、右下部において、ノズル装置１２を保持するための保持部としての保持領域２０が設けられている。この保持領域２０及びノズル装置１２には、互いに吸引するマグネット（図示略）がそれぞれ設けられており、保持領域２０にノズル装置１２を近づけると、マグネットの吸引作用によりノズル装置１２が保持領域２０に保持できることになっている。また、この保持領域２０にはマグネットスイッチＳＷ２（図６参照）の一方を構成するリードスイッチ部２１が設けられ、ノズル装置１２の内面に、空気吹出口１３の上部においてマグネットスイッチの他方を構成する永久磁石部２２が設けられている。このマグネットスイッチＳＷ２は、ノズル装置１２が保持領域２０に保持されたとき、リードスイッチ部２１と永久磁石部２２とが互いに近接してＯＦＦとなることになっており、そのＯＦＦに基づき、ファン装置６、オゾン発生装置７（オゾナイザートランス１５）、コンプレッサ１６は、運転停止状態となることになっている。その一方、ノズル装置１２を保持領域２０から外して、永久磁石部２２をリードスイッチ部２１から離れたときには、マグネットスイッチＳＷ２はＯＮとなることになっており、そのＯＮに基づき、ファン装置６、オゾン発生装置７（オゾナイザートランス１５）、コンプレッサ１６は、運転状態になることになっている。
【００１９】
上記脱臭装置１は、本実施形態においては、図６に示す制御回路に基づき制御される。当初、ノズル装置１２がベース板２の保持領域２０に保持されていることを前提に具体的に説明する。
【００２０】
第２カバーケース４側壁の電源スイッチ（両切りスイッチ）ＳＷ１を閉成（ＯＮ）すると、図示を略すランプが点灯し、脱臭装置１が使用可能状態（待機状態）にあることを示す。
すなわち、ノズル装置１２がベース板２の保持領域２０に保持されている状態においては、マグネットスイッチ（両切りスイッチ）ＳＷ２は開成（ＯＦＦ）状態にあり、この状態で、電源スイッチＳＷ１を閉成しても、ファン装置６も、オゾナイザー１４も、コンプレッサ１６も作動はしない。
【００２１】
上記状態において、ノズル装置１２を把持してそのノズル装置１２を保持領域２０から外すと、永久磁石部２２がリードスイッチ部２１から離れ、マグネットスイッチＳＷ２，ＳＷ２は閉成（ＯＮ）される。これにより、タイマー（コイル）Ｔに通電が行われて、タイマーに対応する常開接点ｔが閉成され、ファン装置６のＶＲ（可変抵抗器）基板２３、オゾナイザー１４のＶＲ基板２４に対して電圧がそれぞれ印加される。この結果、ファン装置６に、ＶＲ基板（風量ボリューム）２３、ＡＣ／ＤＣ変換器２５を介して駆動電流が供給されて、ファン装置６は空気流ｆａを送り出すことになり、オゾナイザー１４にＶＲ基板２４、オゾナイザートランス１５を介して高電圧が印加されてオゾナイザー１４においてオゾンが発生される。同時に、コンプレッサ作動用リレー（コイル）ＣＭに対して通電が行われ、これに基づきコンプレッサ１６が駆動され、オゾン風ｆｏがオゾン発生装置７（オゾナイザー１４）から送り出される。尚、図２中、符号２６は風量ボリューム、２７はオゾン濃度ボリューム、２８は電源コードである。
【００２２】
ファン装置６により空気流ｆａが送り出されると共に、オゾン発生装置７によりオゾン風ｆｏが送り出されると、空気吹出口１３から空気流ｆａが吹き出されると共に、オゾン吹出口１９からオゾン風ｆｏが吹き出される。このとき、図５に示すように、オゾン風ｆｏは、吹出口から吹き出される空気流ｆａ領域内においてその空気流ｆａの吹出し方向と同じ方向に向けて吹き出されることになり、空気流ｆａは、オゾン風ｆｏの周囲を囲んだ状態で流れることになる。このため、空気流ｆａは、その高い指向性（動圧）に基づき、ノズル装置１２から比較的遠い距離までオゾン風ｆｏを空気流ｆａの流れ方向に案内することになり、使用者は、ハンドタイプのノズル装置１２を着衣から適度の距離離間させた位置で吹出口１３，１９の位置を動かし、吹出口１３，１９からの空気流ｆａの流れ（動圧）を感じながら、所望の着衣個所にオゾン風ｆｏを当てることができる。これにより、着衣の付着臭を的確に脱臭することができ、脱臭に要する脱臭時間も短縮できることになり、使い勝手が向上する。勿論このとき、使用者は、着衣だけでなく、毛髪等の付着臭を併せて脱臭してもよい。この結果、着衣の付着臭を脱臭するに際して、オゾン風ｆｏを当てるべき個所に脱臭装置１をできるだけ近づけることが不要になると共に、オゾン風ｆｏを当てるべき個所にオゾン風ｆｏが的確に当たらないことに基づいて脱臭時間が増大することを防止できることになる。
【００２３】
このとき、空気流ｆａ及びオゾン風ｆｏが、オゾンの分解（オゾン濃度の低下）を回避すべく、各吹出口まで各接続ホース１１，１８により独立に送り出される一方、空気吹出口１３からの空気流ｆａは、オゾン風ｆｏの外周囲を囲んだ状態で流れて、その高い指向性（動圧）に基づき、ノズル装置１２から比較的遠い距離までオゾン風ｆｏを空気流ｆａの流れ方向に案内しつつ、オゾンが空気流ｆａの外周囲に拡散することを抑制する。このため、オゾン風ｆｏが着衣に到達するまでの間にオゾンの濃度が低下することを極力抑制できることになり、オゾンとして、初期から使用濃度が低いもの（人体に影響を与えないもの）を用いて、脱臭を効果的に行うことができる。
【００２４】
またこの場合、空気供給用接続ホース１１及びオゾン供給用接続ホース１８が伸縮調整可能とされていることから、付着臭の発生源（使用者）が脱臭装置１から多少、離れていても、それに応じて空気供給用接続ホース１１及びオゾン供給用接続ホース１８を伸ばして、近い場合同様、付着臭の発生源に対してオゾン風ｆｏと空気流ｆａとを個々独立して供給できることになり、付着臭の発生源が脱臭装置１（本体）から遠のくことに基づきオゾンが分解されることを防止できる。このため、付着臭の発生源（使用者）が当該脱臭装置１（本体）から多少、離れていても、付着臭の発生源が当該脱臭装置１が近い位置に存在する場合と略同じ脱臭効果を得ることができる。
【００２５】
使用者が着衣等の脱臭を終え、ノズル装置１２をベース板２の保持領域２０に戻すと、リードスイッチ部２１と永久磁石部２２とが互いに近接した状態となり、マグネットスイッチＳＷ２，ＳＷ２は、開成（ＯＦＦ）状態となる。これにより、ＶＲ基板２３，２４に電圧が印加されず、また、コンプレッサ作動用リレーＣＭに通電が行われないことになり、ファン装置６、オゾン発生装置７、コンプレッサ１６等、全ての装置の運転が停止される。
【００２６】
また、運転状態であっても、運転開始から所定時間（例えば５分間）経過したときには、タイマリレーＴがその常開接点ｔを開成することになり、これに基づき、各装置のＶＲ基板２３，２４に電圧が印加されず、コンプレッサ用作動リレーＣＭに通電が行われなくなり、全ての装置の作動が停止する。尚、図６中、ＦＣはヒューズであり、図４中、２８はＯＦＦタイマー基板を示す。
【００２７】
図７は他の実施形態を示すものである。この実施形態において、前記実施形態と同一構成要素については同一符号を付してその説明を省略する。
【００２８】
この他の実施形態においては、脱臭装置１が台車３１に搭載されて移動可能にしたものが示されている。台車３１は、フレーム構造体３２の下部にキャスタ３３を取付けることにより構成され、その台車３１上には２本の支柱３４が起立されている。その２本の支柱３４には、跨るようにして取付け板３５が取付けられており、その取付け板３５に前記実施形態に係る脱臭装置１が取付けられている。この場合、横方向の幅を短縮するため、取付け板３５の一方の面（表、裏の一方の面）にファン装置６が取付けられ、取付け板３５の他方の面（表、裏の他方の面）にオゾン発生装置（図７においては図示を略す）が取付けられている。これにより、付着臭の発生源（使用者）から脱臭装置１が離れていても、台車３１の移動によりその付着臭の発生源に近づけることができ、使い勝手を高めることができる。
【図面の簡単な説明】
【００２９】
【図１】壁面に取付けられた実施形態に係る脱臭装置を示す正面図。
【図２】図１の左側面図。
【図３】図１の底面図。
【図４】第１，第２カバーケースを取り除いた状態の脱臭装置を示す正面図。
【図５】ノズル装置からのオゾン風ｆｏ及び空気流ｆａの流れ状態を示す説明図。
【図６】実施形態に係る脱臭装置の作動を制御する制御回路図。
【図７】第２実施形態に係る脱臭装置を示す図。
【符号の説明】
【００３０】
１  脱臭装置
２  ベース板（収納ケース）
３  第１カバーケース（収納ケース）
４  第２カバーケース（収納ケース）
６  ファン装置（空気供給源）
７  オゾン発生装置（オゾン発生源）
１１  空気供給用接続ホース
１２  ノズル装置
１３  空気吹出口
１４  オゾナイザー（オゾン発生装置）
１５  オゾナイザートランス（オゾン発生装置）
１８  オゾン供給用接続ホース
１９  オゾン吹出口
２０  保持領域（保持部）
３１  台車
ＳＷ  マグネットスイッチ（作動スイッチ）
Ｔ  タイマーリレー（タイマー手段）
ｔ  常開接点（タイマ手段）
Ｗ  壁面
【図１】
2009270227.tif 000003
【図２】
2009270227.tif 000004
【図３】
2009270227.tif 000005
【図４】
2009270227.tif 000006
【図５】
2009270227.tif 000007
【図６】
2009270227.tif 000008
【図７】
2009270227.tif 000009